【事件の表示】
　特願２００２−３６９７３８号「乾燥機及び乾燥システム」拒絶査定不服審判事件〔平成１６年７月１５日出願公開、特開２００４−１９５０６５号〕について、次のとおり審決する。
【結　論】
　本件審判の請求は、成り立たない。
【理　由】
１．手続の経緯・本願発明
　本願は、平成１４年１２月２０日の出願であって、平成１９年１１月１３日付けで拒絶査定がなされ、これに対し、平成１９年１２月２０日に拒絶査定不服審判が請求されたものであって、その請求項１に係る発明は、平成１９年４月２７日付け手続補正書により補正された明細書及び図面の記載からみて、その特許請求の範囲の請求項１に記載された事項により特定される次のとおりのものである（以下「本願発明」という）。
　
「乾燥対象物の種類、質量、材質および厚みに関する情報の少なくとも何れかを含んでなる乾燥対象物情報を取得する、乾燥対象物情報取得手段と、
　乾燥仕上がりに関する項目のうち、使用者が少なくとも２つの項目を選択しかつ順位付けてなる優先度情報を取得する、優先度情報取得手段と、
　取得した乾燥対象物情報及び優先度情報、並びに本乾燥機を特定する乾燥機識別情報を含み、乾燥処理手順や条件を決定する上での要件となる乾燥要件情報を外部の情報処理装置に送信する情報送信手段と、
　送信した乾燥要件情報に基づいて外部の情報処理装置から送信される、乾燥処理を行う際の手順や条件に関する情報を含んだ乾燥実行情報を受信する情報受信手段と、
　情報受信手段が受信した乾燥実行情報に従い、かつ、上記項目の順位付けに応じて乾燥処理を行う乾燥実行手段を有する乾燥機。」
　
２．引用例の記載事項
（１）引用例１
　これに対して、原査定の拒絶の理由で引用した、本願の出願前に頒布された国際公開第０１／９６６４５号（以下「引用例１」という）には、次の事項が図面とともに記載されている（訳文は、パテントファミリーである特表２００４−５０３８５３号公報（以下「対応公報」という。）の該当箇所の記載を参照。）。
ア．”One aspect of the present invention, depicted in  FIG. 1 , is the system  800  for optimizing the processing of one or more work piece items by a consumer appliance, comprising: a consumer appliance  802 ; a director  804  in communication with the consumer appliance  802 ; a data store  806  in communication with the director  804 ; an identification device  808  in communication with the director  804 ; a work piece identifier  810 ; and an optimization module  812  in communication with the director  804 , wherein the optimization module  812  comprises executable instructions for determining optimized process conditions of the consumer appliance  802 .
　One exemplary embodiment of the present invention is schematically illustrated in  FIG. 2  which depicts a consumer appliance system  20  for laundering clothes in accordance with one aspect of the present invention. The system  20  is shown as preferably comprising a washing machine  22  as the exemplary consumer appliance, a director  25  in communication with the washing machine  22 , a user interface  28 , a data store  34 , an identification device  40 , and a optimization module  31  as will be further described herein. The optimization module  31 , for example, would likely preferably comprise a set of executable instructions such as in the form of software, routines, programs, algorithms, code, logic and the like, which would, inter alia, facilitate the determination of optimized operating conditions of the washing machine. 
　In one embodiment, the optimization module  31  is preferably provided in communication, such as via ・・・（中略）・・・telephone lines,・・・（中略）・・・with the data store  34  and the user interface  28 . The optimization module may・・・（中略）・・・be hosted or housed on a remote device. Remote devices may include・・・（中略）・・・ an external server located somewhere on the Internet. 
　・・・（中略）・・・
　A washing machine  22  of this example can be a standard washing machine known to one skilled in the art. In one embodiment of the present invention, the system  20  is integrated into the washing machine  22 . In another embodiment, the system  20  is separate from the washing machine  22 . ・・・（中略）・・・ Moreover, the system  20  might further comprise data stored in a data store that contains information relating to processing and otherwise cleaning or laundering clothing or other work items, where information is contemplated to mean data, executable instructions and the like. ・・・（中略）・・・In another embodiment, the consumer appliance might be in communication with an external data store that might be updated by a customer service representative of company associated with the consumer appliance. Any consumer appliance in communication with the data store might be configured to retrieve the updated information such as new executable instructions and/or data. It should be recognized that these are only two of many possible ways to update and reconfigure the information associated with a consumer appliance. 
　The present invention contemplates identifying particular items of clothing. In one embodiment, the items of clothing to be laundered have an work piece identifier such as an identification tag or clothing identifier which comprises an identification means known to one skilled in the art. Such identification tags, for example, might comprise any combination of bar codes, radio frequency identification tags, data, chips, smart cards and the like. In particular, in an exemplary embodiment of the present invention, and as will be discussed in more detail, the items of clothing might comprise a Radio Frequency Identification (RF ID) tag that might allow the clothing to be recognized by an identification device  40 . The identification device  40  might transmit the identification to a director  25  which might then search a data store, such as an external data store  36  for information relating to the identified clothing item. In an alternate embodiment, information relating to the particular item of clothing, such as the clothing's fabric composition may be stored directly on the tag and read by the identification device  40 . ”（６ページ３行〜８ページ１５行）
「図１に示す本発明の一つの態様は、家庭用電気器具により一つ以上の作業物品目の処理を最適化するシステム８００であり、家庭用電気器具８０２、家庭用電気器具８０２と通信するディレクター８０４、ディレクター８０４と通信するデータストア８０６、ディレクター８０４と通信する識別装置８０８、作業物識別子８１０、ディレクター８０４と通信する最適化モジュール８１２を含んでなり、最適化モジュール８１２は、家庭用電気器具８０２の最適化された処理条件を決定するための実行可能命令を含む。
　図２は本発明の一つの代表的実施形態の模式図であり、本発明の一つの態様による、衣類を洗濯するための家庭用電気器具システム２０を示す。システム２０は、好ましくは代表的な家庭用電気器具として洗濯機２２、洗濯機２２と通信するディレクター２５、ユーザーインターフェース２８、データストア３４、識別装置４０、及びこの後に更に述べる最適化モジュール３１を含んでなる。例えば、最適化モジュール３１は、好ましくはおそらく一組の実行可能命令を、例えば、ソフトウェア、ルーチン、プログラム、演算法、コード、論理などの形態で含んでなるが、それはとりわけ洗濯機の最適化された動作条件の決定を容易にするであろう。
　一つの実施形態においては、好ましくは、例えば、・・・（中略）・・・電話回線、・・・（中略）・・・を介して、最適化モジュール３１は、データストア３４及びユーザーインターフェース２８との通信を提供される。最適化モジュールは、・・・（中略）・・・リモート装置上にあるか又は内蔵されていてもよい。リモート装置は、・・・（中略）・・・インターネットのどこかに位置する外部サーバーを備えていてよい。
　・・・（中略）・・・
　この例の洗濯機２２は、当該技術分野において既知の標準洗濯機であり得る。本発明の一つの実施形態においては、システム２０は洗濯機２２に統合されている。別の実施形態においては、システム２０は洗濯機２２と別になっている。・・・（中略）・・・その上、システム２０は更にデータストアに保存されたデータを含んでなってもよく、このデータストアは処理、さもなければ清浄、衣類、又は他の作業品目の洗濯に関連する情報を含有し、この情報はデータ、実行可能命令などを意味すると考えられている。・・・（中略）・・・別の実施形態においては、家庭用電気器具は外部のデータストアと通信してもよく、この外部のデータストアは、家庭用電気器具の関連会社のカスタマーサービスの代表者が更新してもよい。データストアと通信するいかなる家庭用電気器具も、新しい実行可能命令及び／又はデータなど、更新された情報を検索するように構成されてもよい。これらは、家庭用電気器具に関連する情報の更新及び再構成する多数の可能な方法のうち、ほんの二つであることを認識するべきである。
　本発明は特定の衣類品目を識別することを考えている。一つの実施形態においては、洗濯される衣類品目は識別タグ、又は当該技術分野において既知の識別手段を含んでなる衣類識別子のような、作業物識別子を有する。こうした識別タグは、例えば、バーコード、無線周波数識別タグ、データ、チップ、スマートカードなどのいかなる組み合わせを含んでなってもよい。特に本発明の代表的な実施形態においては、より詳細に論じられるであろうが、衣類品目は無線周波数識別（ＲＦ　ＩＤ）タグを含んでなってもよく、このタグにより衣類は識別装置４０により識別される。識別装置４０は識別をディレクター２５に伝達し、次にディレクター２５は外部データストア３６のようなデータストアを、識別された衣類品目に関する情報を求めて検索してもよい。代わりの実施形態においては、特定の衣類品目に関する情報、例えば、衣類の布地組成物は直接タグに保存されていてもよく、識別装置４０により読み取られてもよい。」（対応公報の段落【００２０】〜【００２４】）
　上記摘記事項によると、『家庭用電気器具である洗濯機における作業物である衣類品目を識別タグにより識別するディレクター２５と通信する識別装置４０を有し、これにより、例えば衣類の布地組成物等の衣類品目の洗濯に関する情報を前記タグ、データストア又は外部のデータストアから読み取り又はディレクター２５により検索されるものであって、
　ディレクター２５とインターネットにより通信する外部サーバーに備えられる、最適化モジュール３１で、洗濯機の最適化された動作条件の決定をする、
　ユーザーインターフェース２８やディレクター２５と通信する家庭用電気器具としての洗濯機２２。』が記載されている。
　
イ．”Another aspect of the present invention is the method of optimizing the processing of one or more work piece items by a consumer appliance. In one exemplary embodiment, the method comprises the steps of: providing an identification device, a work piece identifier, a data store and a director in communication with a consumer appliance; identifying each work piece item to be processed by the consumer appliance; retrieving one or more processing factors corresponding to each of the identified work piece items from a data store; determining potential processing conflicts corresponding to the processing factors of each of the identified work piece items; notifying a user of any potential processing conflicts; determining optimized processing conditions corresponding to the processing factors; and prompting the user to confirm the optimized processing factors. 
　An exemplary embodiment of the method of optimizing the processing of one or more work piece items by a consumer appliance is depicted in  FIG. 3  for the a washing machine example for laundering multiple items of clothing. In this example, the method might comprise the steps of: providing a director in communication with a washing machine, a user interface, an optimization module and a data store (step  60 ); identifying each of the items to be laundered (step  61 ); retrieving one or more cleaning factors corresponding to each of the items of clothing from the data store (step  64 ); determining potential laundering conflicts corresponding to the cleaning factors of each of the items of clothing (step  66 ); alerting a user of the potential laundering conflicts (step  68 ); determining optimal laundering conditions corresponding to the cleaning factors of each of the items of clothing (step  70 ); informing the user of the optimal laundering conditions (step  72 ); prompting the user to provide feed back data on the laundering of the items of clothing (step  84 ); and receiving from the user feed back data relating to the laundering process (step  86 ). 
　In one embodiment of the present invention, the step of identifying each work piece item may comprise manually entering the work piece information into the user interface, or preferably comprises reading a tag with an identification system such as bar code or RF ID tags. In another embodiment, the processing factors may be manually entered. In the washing machine example, the manual option might comprise the user entering the garment type, color, fabric type, manufacturer, care instructions, and the like or combinations thereof. In the washing machine. For example, the user may enter through the user interface, that the work piece has the following processing factors (e.g. white in color, 100% cotton, men's underwear). This data will then be utilized in at least part by the director to determine if there are any potential processing conflicts and to determine the optimal processing conditions. Preferably, the identification step is automatic and comprises scanning a work piece identifier (e.g. bar code) or receiving the identifying information from the work piece identifier (e.g. RF ID tag). The work piece identifier (e.g. RF ID tag, bar code) might comprise a serial number that is unique to the work piece item (clothing garment). This serial number can the be utilized to retrieve processing (laundering) factors that need to be considered for the work piece (item of clothing). In the washing machine example, such factors include: fabric type, color, restrictions on laundering, drying factors, and the like. 
　Once the processing (laundering) factors have been retrieved, the director and the optimization module determine if any potential processing conflicts exist. For example, in the washing machine exemplary embodiment, the user may have accidentally combined a item of clothing that is made from silk and dry clean only with a load of denim blue jeans. The dry clean only garment will most likely be ruined if laundered with the blue jeans. The optimization module utilizing the serial number for each of the items can retrieve the processing factors corresponding to each of the items. The processing factors are then preferably analyzed against a decision tree or algorithm to determine if any potential conflicts exist. If a processing (laundering) conflict exists, the director can alert the user of the conflict. This alert may comprise an audio alarm, voice, visual alarm, displaying a message, and the like or combinations thereof. The user may have the ability to override the processing conflict and have the alert canceled. In one embodiment, if a user overrides the processing (laundering) conflict, the user is asked whether to repeat this alarm in the future for these work piece items (e.g. items of clothing) or to ignore this potential conflict in the future. The user's input can then be stored in the data store and utilized in subsequent operations of the consumer appliance. 
　In one embodiment, the user acknowledges the alert of the processing conflict and removes the work piece(s) resulting in the processing conflict. In another embodiment of the present invention, the optimization module may determine multiple processing conflicts exist. In this embodiment, the optimization module might provide the user detailed instructions on which work piece items are generating the processing conflicts and how to resolve the processing conflicts.”（１９ページ８行〜２１ページ１０行）
「本発明の別の態様は、家庭用電気器具による一つ以上の作業物品目の処理の最適化方法である。一つの代表的な実施形態においては、本方法は：識別装置、作業物識別子、データストア、及び家庭用電気器具と通信するディレクターを提供する工程；家庭用電気器具により処理される各作業物品目を識別する工程；識別した作業物品目の各々に対応した一つ以上の処理要素をデータストアから検索する工程；識別した作業物品目の各々の処理要素に対応した、起こり得る処理の対立を判断する工程；ユーザーにいずれかの起こり得る処理の対立について通知する工程；処理要素に対応した最適化された処理条件を決定する工程；及び最適化された処理要素を確認することをユーザーに促す工程を含んでなる。
　家庭用電気器具による一つ以上の作業物品目の処理の最適化方法の代表的な実施形態は、図３の複数の衣類品目を洗浄する洗濯機の例に示される。この例においては、本方法は：洗濯機と通信するディレクター、ユーザーインターフェース、最適化モジュール、及びデータストアを提供する工程（工程６０）；洗濯される品目の各々を識別する工程（工程６１）；衣類品目の各々に対応する一つ以上の洗濯要素をデータストアから検索する工程（工程６４）；衣類品目の各々の洗濯要素に対応する起こり得る洗濯の矛盾を判断する工程（工程６６）；ユーザーに起こり得る洗濯の対立について警告する工程（工程６８）；衣類品目の各々の洗浄要素に対応した最適な洗濯条件を決定する工程（工程７０）；ユーザーに最適な洗濯条件を通知する工程（工程７２）；衣類品目の洗濯についてフィードバックデータを提供するようにユーザを促す工程（工程８４）；及びユーザーから洗濯処理に関連するフィードバックデータを受け取る工程（工程８６）を含んでなってもよい。
　本発明の一つの実施形態においては、各作業物品目を識別する工程は、作業物情報をユーザーインターフェースに手動で入力すること、又は好ましくはバーコード若しくはＲＦ　ＩＤタグのような識別システムによりタグを読むことを含んでなってもよい。別の実施形態においては、処理要素は手動で入力されてもよい。洗濯機の例においては、手動オプションは、ユーザーが衣服の種類、色、布地の種類、製造会社、手入れの指示など、又はこれらの組み合わせを入力することを含んでなってもよい。洗濯機において。例えば、ユーザーはユーザーインターフェースを通じて、作業物は次の処理要素（例えば、色は白色、１００％綿、男性下着）を有することを入力してもよい。次にこのデータは、何か起こり得る処理の矛盾がないかを判断するために、及び最適な処理条件を決定するために、少なくとも部分的にはディレクターにより利用される。好ましくは、識別工程は自動であり、作業物識別子（例えば、バーコード）をスキャンすること、又は作業物識別子（例えば、ＲＦ　ＩＤタグ）からの識別情報を受け取ることを含んでなる。作業物識別子（例えば、ＲＦ　ＩＤタグ、バーコード）は作業物品目（衣類衣服）特有の連続番号を含んでなってもよい。
この連続番号は、作業物（衣類の品目）のために考慮する必要のある処理（洗濯）要素を検索するために利用できる。洗濯機の例においては、こうした要素には、布地の種類、色、洗濯における制約、乾燥要素などが挙げられる。
　処理（洗濯）要素が検索されると、ディレクター及び最適化モジュールは、起こり得る処理の対立が存在するかどうかを判断する。例えば、洗濯機の代表的な実施形態においては、ユーザーは、絹で作られた「ドライクリーニング」のみの衣類品目をデニムのブルージーンズの洗濯物と誤って組み合わせてしまったことがある可能性がある。「ドライクリーニング」のみの衣服は、ブルージーンズと一緒に洗濯された場合、最も損なわれやすいであろう。最適化モジュールは、品目の各々について連続番号を使用し、品目のそれぞれに対応する処理要素を検索することができる。処理要素は、次に起こり得る矛盾が存在するかどうかを決定するために、好ましくは決定樹又は演算法に対して分析される。処理（洗濯）の矛盾が存在する場合には、ディレクターはユーザーに矛盾について警告することができる。この警告は音声による警報、声、視覚的警報、メッセージの表示など、又はこれらの組み合わせを含んでなってもよい。ユーザーは処理の矛盾を無効にし、警報を取り消すことができる場合もある。一つの実施形態においては、ユーザーが処理（洗濯）の矛盾を無効にした場合に、ユーザーはこれらの作業物品目（例えば、衣類品目）について、将来この警報を繰り返すか、又は将来この起こり得る矛盾を無視するかを尋ねられる。ユーザーのインプットは次にデータストアに保存され、次の家庭用電気器具の動作において利用できる。
　一つの実施形態においては、ユーザーは処理の矛盾の警告を認め、処理が矛盾する結果となる作業物を除去する。本発明の別の実施形態においては、最適化モジュールは、複数の処理の対立が存在すると判断する可能性がある。この実施形態においては、最適化モジュールは、どの作業物品目が処理の矛盾を生み出し、どのようにして処理の矛盾を解決するかについての詳細な指示をユーザーに提供してもよい。」（対応公報の段落【００５６】〜【００５９】）
　
ウ．”Another exemplary embodiment of the present invention, illustrated in  FIG. 4 , is the method of laundering an item of clothing. The method comprises the steps of: providing a director in communication with a washing machine, an identification device, a user interface and a data store (step  60 ); capturing a clothing identifier from the item of clothing to be laundered (step  62 ); retrieving clothing properties corresponding to the clothing identifier from the data store (step  64 ); determining potential laundering conflicts from the retrieved laundering properties (step  66 ); notifying a user of any determined laundering conflicts (step  68 ); determining optimized laundering conditions from the retrieved clothing properties (step  70 ); notifying the user of the optimized laundering conditions (step  72 ); prompting the user to accept or modify the optimized laundering conditions (step  74 ); receiving from the user modification input relating to the optimized laundering conditions (step  76 ); determining if any changes or rejections of the recommendations were input by the consumer (step  78 ); storing the user modification input in the data store for later retrieval; laundering the clothes (step  82 ); prompting the user, after the laundering of the clothes is complete to enter feedback data (step  84 ); receiving the feedback data from the user (step  86 ); and storing the feedback data in the data store (step  88 ). 
　・・・（中略）・・・
　For example, an item of clothing, such as a shirt  55  may have an ID tag  56  sewn into the shirt  55  as is depicted in  FIG. 5 . When the shirt  55  is ready to be laundered, it is placed in the opening  23  of the washing machine  22  as depicted in  FIG. 6 . Preferably, the ID device  40  is located adjacent the opening  23  on the washing machine  22 . When the item of clothing is passed by the ID device  23 , the radio frequency being emitted from the ID device  23  activates the ID tag  56  sewn into the shirt  55 . The ID tag  56  transmits a serial number to the ID device  23 . The ID device  23  then passes the serial number on to the director of the present invention. The director activates the optimization module  31 . The optimization module  31  executes a request to the data store for laundering factors of the item corresponding to the serial number. 
　In yet another embodiment of the invention, the washing machine may allow a user to set a desired conditioning outcome rather than the traditional approach of setting a particular wash cycle. For example, a washing machine may allow a user to set a desired conditioning such as, but not limited to, low wrinkle, crisp, extra white, or mountain fresh (or other perfume). In this embodiment, an optimization module may optimize the desired washing conditions not only with respect to processing factors associated with each item of clothing being washed, but also with respect to the desired conditioning set by the user. For example, a user may select a desired conditioning of low wrinkle clothing. The user may then proceed to load items of clothing in the washing machine, with each clothing item being identified by an identification device. The washing machine may then retrieve one or more processing factors corresponding to each of the clothing items, and the washing machine may optimize the washing conditions corresponding to both the processing factors and the desired conditioning set by the user. 
　In one embodiment of the present invention, a local data store is first accessed to determine if data corresponding to work piece identifier exists in the local data store. ・・・（中略）・・・If no corresponding data is found in the local data store, a request is executed by the director to search an external data store attached through the communication link. In one embodiment of the present invention, the data store is located on the Internet and contains processing (laundering) factors relating to a plurality of work piece (clothing) items.・・・（中略）・・・
　The external data store can be accessed and searched for data corresponding to the work piece identifier. If corresponding data is found, the data can be downloaded to the director and stored in the local data store for later retrieval.・・・（中略）・・・
　Once the work piece item (clothing) has been identified and corresponding processing (laundering) factors retrieved, the system is ready to process the next work piece item (item of clothing). ・・・（中略）・・・After all items have been entered, the director initiates the optimization module to retrieve the corresponding processing (laundering) factors. 
　In a further embodiment of the present invention, the user is prompted through a user interface to indicate when all items have been entered into the consumer appliance. Upon receiving the input from the user that all items are entered in the consumer appliance, the director might activate the optimization module. The optimization module can determine by analyzing and comparing the processing factors corresponding to the work piece items if there are any processing conflicts. If the optimization module determines any processing conflicts, an alert is sent to the user alerting him/her of the conflict.・・・（中略）・・・The user might be requested to remove the conflicting item(s) or override the alert. If the user chooses to remove the conflicting items, the user may indicate through the user interface when the conflicting items have been removed. The director then preferably re-scans the identified work piece identifiers (ID tags) to ensure that no processing conflict remains. 
　In yet another embodiment, the method further comprises the step of determining potential processing additions and deletions to optimize the performance of the consumer appliance. For example in the washing machine example, the user may have inserted a load of clothing in the washing machine which contains mainly white cotton garments and a red sock. While, the red sock may not be a potential laundering conflict since the clothes can safely be laundered together on a cold setting with no bleach for example, the laundering of the white cotton garments could be optimized by the removal of the red sock which then would allow a higher water temperature and the inclusion of bleach into the laundering method. An example of a potential laundering addition may occur when there is extra room remaining in the washer for additional clothes. The director might access the data store and notify the user of other work pieces (garments) that have corresponding entries in the data store that the user has previously processed (e.g. laundered) that could be added to consumer appliance if the additional item needs processing (e.g. laundered). ”（２２ページ２７行〜２６ページ１７行）
「本発明の別の代表的な実施形態は、図４に示される、衣類品目を洗濯する方法である。本方法は：洗濯機と通信するディレクター、識別装置、ユーザーインターフェース、及びデータストアを提供する工程（工程６０）；洗濯する品目から衣類識別子を獲得する工程（工程６２）；衣類識別子に対応する衣類特性をデータストアから検索する工程（工程６４）；検索した洗濯特性から起こり得る洗濯の矛盾を判断する工程（工程６６）；判断したあらゆる洗濯の矛盾をユーザーに通知する工程（工程６８）；検索した衣類特性から最適化された洗濯条件を決定する工程（工程７０）；最適化された洗濯条件をユーザーに通知する工程（工程７２）；最適化された洗濯条件を受け入れるか、修正するようにユーザーを促す工程（工程７４）；最適化された洗濯条件に関連するユーザーからの修正のインプットを受け取る工程（工程７６）；消費者から提案についていずれかの変化又は拒否のインプットがないかを判断する工程（工程７８）；後の検索のために、ユーザーからの修正のインプットをデータストアに保存する工程；衣類を洗濯する工程（工程８２）；衣類の洗濯が完了した後フィードバックデータを入力をするようにユーザーに促す工程（工程８４）；ユーザーからフィードバックデータを受け取る工程（工程８６）；及びフィードバックデータをデータストアに保存する工程（工程８８）を含んでなる。
　・・・（中略）・・・
　例えば、シャツ５５のような衣類品目は、図５に示されるように、ＩＤタグ５６がシャツ５５の中に縫い込まれていてもよい。シャツ５５が洗濯される準備ができると、図６に示されるように洗濯機２２の開口部２３の中に置かれる。好ましくは識別装置４０は、洗濯機２２上の開口部２３に隣接して設置される。衣類品目が識別装置２３のそばをとおると、識別装置２３から放出された無線周波数は、シャツ５５の中に縫い込まれているＩＤタグ５６を活性化する。ＩＤタグ５６は連続番号を識別装置２３に伝達する。識別装置２３は次に連続番号を本発明のディレクターに通す。ディレクターは最適化モジュール３１を活性化する。最適化モジュール３１は連続番号に対応する品目の洗濯要素の要求を、データストアに出す。
　本発明の更にもう一つの実施形態においては、特定の洗浄サイクルを設定する従来の手法ではなく、ユーザーが望ましい状態調節の結果を洗濯機によって設定できてもよい。例えば、洗濯機によって、これらに限られるわけではないが、皺が少ない、ぱりっとしている、極上の白色、及びマウンテン・フレッシュ（又は他の香料）などの望ましい状態調節をユーザーが設定できてもよい。この実施形態において最適化モジュールは、洗浄される各衣類品目に関連する処理要素に関してだけでなく、ユーザーにより設定された望ましい状態調節に関しても、望ましい洗浄条件を最適化してもよい。例えばユーザーは、望ましい状態調節として皺の少ない衣類を選択してもよい。次にユーザーは衣類品目を洗濯機に入れるところに進んでもよいが、このとき各衣類品目は識別装置により識別される。洗濯機は次に衣類品目の各々に対応する一つ以上の洗浄要素を検索してもよく、洗濯機は処理要素及びユーザーにより設定された望ましい状態調節の両方に対応する洗浄条件を最適化してもよい。
　本発明の一つの実施形態においては、ローカルデータストアは最初に作業物識別子に対応するデータがローカルデータストアに存在するかどうか判断するためにアクセスされる。・・・（中略）・・・対応するデータがローカルデータストアに見出せない場合には、通信リンクを通して取りつけられた外部データストアを検索するための要求がディレクターにより実行される。本発明の一つの実施形態においては、データストアはインターネット上に位置し、及び複数の作業物（衣類）品目に関する処理（洗濯）要素を含有する。・・・（中略）・・・
　外部データストアは、作業物識別子の対応するデータについてアクセス及び検索され得る。対応するデータが見出された場合には、データはディレクターにダウンロードされ、後の検索のためローカルデータストアに保存され得る。・・・（中略）・・・
　作業物品目（衣類）が識別され、対応する処理（洗濯）要素が検索されると、システムは次の作業物品目（衣類品目）を処理する準備ができる。・・・（中略）・・・すべての品目をが入力した後、ディレクターは最適化モジュールを起動して対応する処理（洗濯）要素を検索する。
　本発明の更なる実施形態においては、すべての品目が家庭用電気器具に入力された場合、ユーザーはユーザーインターフェースを通して、指示するように促される。
　すべての品目が家庭用電気器具に入れられたというユーザーからの入力を受け取ると、ディレクターは最適化モジュールを起動してもよい。最適化モジュールは、作業物品目に対応する処理要素を分析及び比較することにより、何らかの処理の矛盾があるかどうかを判断することができる。最適化モジュールが何らかの処理の矛盾を割り出した場合には、警告がユーザーに送られて、矛盾についてユーザーに警告する。・・・（中略）・・・ユーザーは矛盾する品目を除去するか、警報を無効にするように要求される可能性がある。ユーザーが矛盾する品目を除去することを選択する場合は、ユーザーはユーザーインターフェースを通していつ矛盾する品目を除去したかを指示する可能性がある。ディレクターは、好ましくは処理の矛盾が残っていないことを確実にするために、識別された作業物識別子（ＩＤタグ）を再スキャンする。
　更にもう一つの実施形態においては、本方法は更に家庭用電気器具の性能を最適化するため、起こり得る処理の追加、及び削除を決定する工程を含んでなる。例えば、洗濯機の例においては、ユーザーは主に白い綿の衣服及び一つの赤い靴下を含有する衣類の洗濯物を洗濯機の中に挿入したことがある可能性がある。この衣類は、例えば漂白剤を使用しない冷水設定で、差し支えなく一緒に洗濯できるため、赤い靴下は起こり得る洗濯の矛盾ではない可能性があるが、赤い靴下を取り除くことによって、より高い水温及び漂白剤を洗濯方法に含むことができ、白い綿の衣服の洗濯は、最適化される可能性がある。起こり得る洗濯の追加は洗濯機の中に追加の衣類のための余裕が残っている場合に起こってよい。ディレクターはデータストアにアクセスし、データストア中に対応する入力項目を有する他の作業物（衣服）についてユーザーに通知する可能性があり、この作業物（衣服）はユーザーが前に処理（洗濯）したものであり、追加の品目が処理（洗濯）を必要とする場合、家庭用電気器具に追加され得るものである。」（段落【００６３】〜【００７２】）
　上記摘記事項によると、『衣類が洗濯機２２の開口部２３の中に置かれ、識別装置２３がＩＤタグ５６は連続番号をディレクターに通して、作業物品目（衣類）が識別され、
例えば、洗濯機によって、皺が少ない、ぱりっとしている、極上の白色、及びマウンテン・フレッシュ（又は他の香料）などの望ましい状態調節の結果をユーザーが洗濯機によって設定され、
対応する処理（洗濯）要素が検索されると、システムは次の作業物品目（衣類品目）を処理する準備ができ、すべての品目をが入力した後、
ディレクターは最適化モジュールを起動して対応する処理（洗濯）要素を検索し、何らかの処理の矛盾があるかどうかを判断し、
最適化モジュールが何らかの処理の矛盾を割り出した場合には、矛盾についてユーザーに警告し、ユーザーは矛盾する品目を除去するか、警報を無効にするように要求するようにされる。
　ユーザーが矛盾する品目を除去することを選択する場合は、ユーザーはユーザーインターフェースを通していつ矛盾する品目を除去したかを指示し、ディレクターは、処理の矛盾が残っていないこと確認する。
　更に家庭用電気器具の性能を最適化するように、可能な処理の追加、及び削除、例えば、赤い靴下を取り除くことによって、より高い水温及び漂白剤を洗濯方法に含むことができる等の提案ができる。
　その後、受け入れられ又は修正された、最適化された洗濯条件で衣類を洗濯する。』ことが記載されている。
　
エ．”An exemplary method of the present invention is depicted in  FIG. 7 . A user loads a garment into the washing machine (step  120 ). Utilizing RF ID technology with passive and proximity scanning, the garment type is identified (step  124 ). The user interface prompts the user on whether there are any more garments to be laundered (step  128 ). If more garments are to laundered the above steps are repeated. If no more garments are to added to the washing machine, the consumer is given the opportunity to assign stain and soil levels to each individual garment (step  132 ). This stain and soil data is then sent to an external server (step  136 ) where the optimized washing and treatment recommendations are determined. The system then determines whether all the garments are compatible (step  140 ). If one or more garments is determined not to be compatible, the consumer is warned of the incompatible garment (step  144 ). The consumer then removes the garment or overrides the warning (step  146 ). The optimized laundering conditions are then determined by analyzing the garments and stain information (step  150 ). A list of recommendations is then presented to the consumer (step  154 ). These recommendations preferably include reasons to believe the recommendations. The consumer is then prompted to accept or reject the recommendations (step  158 ). If the consumer rejects the recommendations, the consumer is prompted to enter reasons for rejection (step  160 ). The reasons for rejection are then stored for future reference for the consumer (step  162 ). If the consumer accepts the recommendations, the consumer is prompted to perform the stain pre-treatments (step  164 ). After the pre-treatment, the consumer will start the washing machine (step  166 ). The washing machine settings and product dosings are set automatically by the system of the present invention (step  170 ). The washing machine then launders the items of clothing (step  172 ). After the laundering is complete, the consumer is asked to rate the laundering results (step  174 ). The laundering results are then stored in the data store and later analyzed to improve the decision making process of the present invention (step  176 ).”（２６ページ１８行〜２７ページ１２行）
「本発明の代表的な方法を図７に示す。ユーザーは洗濯機に衣服を入れる（工程１２０）。ＲＦ　ＩＤ技術を受動及び近接スキャンと共に利用して、衣服の種類が識別される（工程１２４）。ユーザーインターフェースはユーザーに洗濯する衣服がもうないかどうかを促す（工程１２８）。まだ洗濯する衣服がある場合は、上記の工程が繰り返す。衣服を洗濯機にもう追加しない場合は、消費者に染み及び汚れの程度を各々個別の衣服について指定する機会を与える。この染み及び汚れのデータを、次に外部サーバーに送り（工程１３６）、そこで最適化された洗浄及び処置の提案を決定する。次にシステムは、すべての衣服に適合性があるかどうかを判断する（工程１４０）。一つ以上の衣服に適合性がないと判断された場合には、消費者に不適合な衣服について警告する（工程１４４）。消費者は、次に衣服を除去するか又は警告を無効にする（工程１４６）。次に最適化された洗濯条件を、衣服及び染みの情報を分析して決定する（工程１５０）。次に提案の一覧を消費者に示す（工程１５４）。これらの提案は、好ましくは消費者がこの提案を信用する理由を含む。次に提案を受け入れるか、又は拒否するか消費者を促す（工程１５８）。消費者が提案を拒否する場合は、拒否の理由を入力するように消費者を促す（工程１６０）。次に消費者の将来の参照のために、拒否の理由を保存する（工程１６２）。消費者が提案を受け入れる場合は、染みの前処置を行うように消費者を促す（工程１６４）。前処置の後、消費者は洗濯機を始動する（工程１６６）。本発明のシステムにより、洗濯機の設定及び製品の投与を自動的に設定する（工程１７０）。洗濯機は次に衣類品目を洗濯する（工程１７２）。洗濯が完了した後、洗濯結果を評価するように消費者に依頼する（工程１７４）。次に洗濯結果をデータストアに保存し、本発明の意思決定方法を改良するために後で分析する（工程１７６）。」（対応公報の段落【００７３】）
　上記摘示事項によると、代表的な方法の例として、
『ユーザが洗濯機に衣服を入れると、衣服の種類が識別され、染み及び汚れの程度を各々個別の衣服について指定され、この染み及び汚れのデータを外部サーバーに送り、そこで最適化された洗浄及び処置の提案を決定し、一つ以上の衣服に適合性がない場合はその旨警告する。消費者は衣服を除去するか又は警告を無効にし、次に最適化された洗濯条件を衣服及び染みの情報を分析して決定し、提案の一覧を消費者に示す。次に提案を受け入れるか、又は拒否するか消費者を促し、消費者が提案を受け入れる場合は、染みの前処置を行うように消費者を促す。前処置の後、消費者は洗濯機を始動して、洗濯機の設定をし、洗濯機は衣類品目を洗濯する方法』が記載されているといえる。
　
オ．”One exemplary aspect of the present invention is a system  200  for drying clothes, as depicted in  FIG. 8 . The system  200  comprises a clothes dryer  202 ; a director  204  in communication with the clothes dryer  202 ; a data store  206  in communication with the director  204 ; an identification device  208  in communication with the director  204 ; a user interface  210 ; a clothing identifier  212  and an optimization module  214  in communication with the director  204 . The optimization module  214  comprises executable instructions for determining optimized operating conditions for the clothes dryer  202 . 
  Another exemplary aspect of the present invention is a method of drying one or more clothing items. The method comprises the steps of: providing a director in communication with a clothes dryer, a user interface, an optimization module and a data store; identifying each of the items to be dried; retrieving one or more drying factors corresponding to each of the items of clothing from the data store; determining potential drying conflicts corresponding to the drying factors of each of the items of clothing; alerting a user of the potential drying conflicts; determining optimal drying conditions corresponding to the drying factors of each of the items of clothing; informing the user of the optimal drying conditions; prompting the user to provide feed back data on the drying of the items of clothing; and receiving from the user feed back data relating to the drying process. ”（２７ページ１３〜３０行）
「本発明の一つの代表的な態様は、図８に示される、衣類を乾燥するためのシステム２００である。システム２００は、衣類乾燥機２０２、衣類乾燥機２０２と通信するディレクター２０４、ディレクター２０４と通信するデータストア２０６、ディレクター２０４と通信する識別装置２０８、ユーザーインターフェース２１０、衣類識別子２１２及びディレクター２０４と通信する最適化モジュール２１４を含んでなる。最適化モジュール２１４は、衣類乾燥機２０２の最適化された動作条件を決定するための実行可能命令を含んでなる。
　本発明の別の代表的な態様は、一つ以上の衣類品目を乾燥する方法である。該方法は：衣類乾燥機と通信するディレクター、ユーザーインターフェース、最適化モジュール、及びデータストアを提供する工程；乾燥する品目の各々を識別する工程；衣類品目の各々に対応する一つ以上の乾燥要素をデータストアから検索する工程；衣類品目の各々の乾燥要素に対応する起こり得る乾燥の矛盾を判断する工程；ユーザーに起こり得る乾燥の矛盾を警告する工程；衣類品目の各々の乾燥要素に対応する最適な乾燥条件を決定する工程；ユーザーに最適な乾燥条件を通知する工程；衣類品目の乾燥におけるフィードバックデータを提供するようにユーザーを促す工程；及びユーザーから乾燥処理に関するフィードバックデータを受け取る工程を含んでなる。」（対応公報の段落【００７４】〜【００７５】）
　
　上記記載事項ア．〜オ．及び図面の図示内容を、特にア．、ウ．及びエ．に着目して総合すると、引用例１には
「家庭用電気器具である洗濯機における作業物である衣類品目を識別タグにより識別装置４０で識別し、例えば衣類の布地組成物、布地の種類、色、洗濯における制約、乾燥要素等の衣類品目の洗濯に関する情報を、該タグから読み取り或いはデータストア又は外部のデータストアからディレクター２５により検索され、
　皺が少ない、ぱりっとしている、極上の白色、及びマウンテン・フレッシュ（又は他の香料）などの望ましい状態調節の結果をユーザーが洗濯機によって設定でき、
　インターネットにより通信する外部サーバーに備えられる、最適化モジュール３１で、洗濯機の最適化された動作条件の決定をし、
洗濯機の設定をし、衣類品目を洗濯する洗濯機であって、
　最適化モジュールが処理（洗濯）要素を検索し、絹の衣類品目とデニムのブルージーンズの組み合わせや染み及び汚れの関する等の何らかの処理の矛盾があるかどうかを判断し、矛盾する品目を除去するか、警報を無効にするように要求し、或いは例えば赤い靴下を取り除くことによって、より高い水温及び漂白剤を洗濯方法に含むことができる等の可能な処理の追加及び削除の提案を行い、その後に洗濯機の設定をし、衣類品目を洗濯するものである家庭用電気器具である洗濯機、及び
　乾燥する品目の各々を識別する識別装置２０８や衣類乾燥機２０２の最適化された動作条件を決定するための実行可能命令を含んでなる最適化モジュール含み、ユーザーに起こり得る乾燥の矛盾を警告する工程をも含む、同様の、衣類を乾燥するためのシステム２００を備えた衣類乾燥機２０２。」の発明（以下「引用発明」という。）が記載されていると認められる。
　
（２）引用例２
　同じく引用した、本願の出願前に頒布された特開２００２−２７３０８９号公報（以下「引用例２」という）には、図面とともに、
「このような電気洗濯機システムによれば、移動電話機２００は、電気洗濯機１００から当該電気洗濯機１００の洗濯機操作プログラムと機器仕様情報を取得し、または、インターネット４００上のホームページ４１０から洗濯機操作プログラムを取得し、電気洗濯機１００に設定されていない新しい洗濯，脱水制御プログラムおよび／または参照情報をインターネット４００上のホームページ４１０から取得して電気洗濯機１００に提供し、また、電気洗濯機１００に洗濯および脱水工程の実行を指示し、その進行状況を電気洗濯機１００から取得して表示することができる。
　そして、電気洗濯機１００は、当該電気洗濯機１００の機器仕様情報を移動電話機２００を介してインターネット４００上のホームページ４１０に登録し、移動電話機２００から提供される新しい洗濯，脱水制御プログラムおよび／または参照情報を取得して該新しい洗濯，脱水制御プログラムおよび／または参照情報を使用した新しい洗濯および脱水工程の実行が可能となり、また、移動電話機２００からの指示に基づいて洗濯および脱水工程を実行してその進行状況を携帯電話器２００に表示させることができる。
　従って、電気洗濯機１００は、製造時には実現していなかった新しい洗濯および脱水方法を容易に実行することができるようになり、また、使用者は、移動電話機２００から遠隔で電気洗濯機１００を操作すると共にその進行状況を移動電話機２００上で把握することができて便利である。」（段落【００３０】〜【００３２】）なる記載がある。
　
３．対比・判断
　そこで、本願発明と引用発明とを対比すると、後者の「家庭用電気器具である洗濯機」と前者の「乾燥機」とは、その機能からみて、衣類を処理する「衣類処理機」である点で共通し、後者の「家庭用電気器具である洗濯機における作業物である衣類品目」は前者の「乾燥対象物」とは「処理対象物」である点で共通する。
　また、後者の「例えば衣類の布地組成物、布地の種類、色、洗濯における制約、乾燥要素等の衣類品目の洗濯に関する情報」と、前者の「乾燥対象物の種類、質量、材質および厚みに関する情報の少なくとも何れかを含んでなる乾燥対象物情報」とは、その情報の内容・使用目的からみて、「処理対象物の種類、質量、材質および厚みに関する情報の少なくとも何れかを含んでなる処理対象物情報」である点で共通する。
　そうすると、後者の「家庭用電気器具である洗濯機における作業物である衣類品目を識別タグにより識別装置４０で識別し、例えば衣類の布地組成物、布地の種類、色、洗濯における制約、乾燥要素等の衣類品目の洗濯に関する情報を、該タグから読み取り或いはデータストア又は外部のデータストアからディレクター２５により検索され」ることと、前者の「乾燥対象物の種類、質量、材質および厚みに関する情報の少なくとも何れかを含んでなる乾燥対象物情報を取得する、乾燥対象物情報取得手段」とは、「処理対象物の種類、質量、材質および厚みに関する情報の少なくとも何れかを含んでなる処理対象物情報を取得する、処理対象物情報取得手段」の点で共通する。
　後者の「皺が少ない、ぱりっとしている、極上の白色、及びマウンテン・フレッシュ（又は他の香料）などの望ましい状態調節の結果」とは、洗濯後の衣類品目の希望する状態といえるから、前者の「乾燥仕上がりに関する項目」とは「処理仕上がりに関する項目」の点で共通し、したがって、後者の「望ましい状態調節の結果をユーザーが洗濯機によって設定」することと、前者の「優先度情報を取得する、優先度情報取得手段」を有することは、「処理仕上がりに関する項目の情報を取得する取得手段」を有する点で共通する。
　また、後者の「最適化モジュール３１」は「インターネットにより通信する外部サーバーに備えられる」ものであって「洗濯機の最適化された動作条件の決定を」するものであるから、前者の「外部の情報処理装置」に相当し、
最適化モジュール３１は、その機能からみて、「衣類品目の洗濯に関する情報」や「望ましい状態調節の結果」から「洗濯機の最適化された動作条件の決定を」するものといえるから、後者は「取得した処理対象物情報」及び「処理仕上がりに関する項目」に関する情報を「外部の情報処理装置」に送信するものであり、
後者の上記「取得した処理対象物情報」及び「処理仕上がりに関する項目」に関する情報と、前者の「取得した乾燥対象物情報及び優先度情報、並びに本乾燥機を特定する乾燥機識別情報を含み、乾燥処理手順や条件を決定する上での要件となる乾燥要件情報」とは、「取得した処理対象物情報及び処理仕上がりに関する項目に関する情報を含み、処理手順や条件を決定する上での要件となる要件情報」の点で共通し、
さらに、後者の「洗濯機」は、「ディレクター２５」を介して、「インターネットにより通信する外部サーバーに備えられる、最適化モジュール３１で、洗濯機の最適化された動作条件の決定を」するものであるから、上記情報を送信する情報送信手段を有するものといえる。
　さらに、後者は「最適化モジュール３１で、洗濯機の最適化された動作条件の決定」により「洗濯機の設定をし、衣類品目を洗濯する」ものであるから、当然、決定された動作条件により設定をするといえ、「インターネットにより通信する外部サーバー」から洗濯を実行するための情報を受信するものである。そうすると、後者も「送信した」「要件情報に基づいて外部の情報処理装置から送信される、」「処理を行う際の手順や条件に関する情報を含んだ」「実行情報を受信する情報受信手段」と備えるものといえる。
　そして、後者の「洗濯機の設定をし、衣類品目を洗濯する」ことは、前者の「情報受信手段が受信した」「実行情報に従い、」「処理を行う」「実行手段を有する」ことに対応する。
　また、後者の「衣類乾燥機２０２」は前者の「乾燥機」に相当する。
　したがって、両者は、
「処理対象物の種類、質量、材質および厚みに関する情報の少なくとも何れかを含んでなる処理対象物情報を取得する、処理対象物情報取得手段と、
　処理仕上がりに関する項目の情報を取得する取得手段と、
　取得した処理対象物情報及び処理仕上がりに関する項目に関する情報を含み、処理手順や条件を決定する上での要件となる要件情報を外部の情報処理装置に送信する情報送信手段と、
　送信した要件情報に基づいて外部の情報処理装置から送信される、処理を行う際の手順や条件に関する情報を含んだ実行情報を受信する情報受信手段
　情報受信手段が受信した乾燥実行情報に従い、処理を行う実行手段を有する衣類処理機。」で一致し、次の点で相違する。
　
相違点Ａ：「衣類処理機」に関し、本願発明が「乾燥機」であるのに対し、引用発明は「家庭用電気器具である洗濯機」であり、
「処理対象物」に関し、本願発明が「乾燥対象物」であるのに対し、引用発明は「家庭用電気器具である洗濯機における作業物である衣類品目」であり、
「処理仕上がりに関する項目」に関し、本願発明が「乾燥仕上がりに関する項目」であるのに対し、引用発明は「皺が少ない、ぱりっとしている、極上の白色、及びマウンテン・フレッシュ（又は他の香料）などの望ましい状態調節の結果」であり、
「処理手順や条件を決定する上での要件となる要件情報」に関し、本願発明が「乾燥処理手順や条件を決定する上での要件となる乾燥要件情報」であるのに対し、引用発明が「取得した処理対象物情報」及び「処理仕上がりに関する項目」に関する情報であるものの本願発明のようなものではなく、
「処理を行う際の手順や条件に関する情報を含んだ実行情報」に関し、本願発明が「乾燥処理を行う際の手順や条件に関する情報を含んだ乾燥実行情報」であるのに対し、引用発明が「その後に洗濯機の設定をし、衣類品目を洗濯するものである」ものの、「乾燥処理を行う」ための「乾燥実行情報」ではない点。
相違点Ｂ：「処理仕上がりに関する項目の情報を取得する取得手段」及び情報送信手段が送信する「要件情報」について、本願発明が「乾燥仕上がりに関する項目のうち、使用者が少なくとも２つの項目を選択しかつ順位付けてなる優先度情報を取得する、優先度情報取得手段」であり、「取得した乾燥対象物情報及び優先度情報、並びに本乾燥機を特定する乾燥機識別情報を含」むものであるのに対して、引用発明は「仕上がりに関する項目のうち、使用者が少なくとも２つの項目を選択しかつ順位付けてなる優先度情報を取得する」ものでなく、その優先度情報及び本乾燥機を特定する乾燥機識別情報を送信するものでもない点。
　
　そこで、上記相違点について検討する。
（１）相違点Ａについて
　引用発明は「衣類品目を洗濯するものである家庭用電気器具である洗濯機」であるとともに、「乾燥する品目の各々を識別する識別装置２０８や衣類乾燥機２０２の最適化された動作条件を決定するための実行可能命令を含んでなる最適化モジュール含み、ユーザーに起こり得る乾燥の矛盾を警告する工程をも含む、同様の、衣類を乾燥するためのシステム２００を備えた衣類乾燥機２０２」でもある。
　そして、上記衣類乾燥機も、乾燥する品目の各々を識別し衣類乾燥機の最適化された動作条件を決定するための実行可能命令を含んでなる最適化モジュールを有する、洗濯機と同様のものであり、一般的な衣類乾燥機でも、衣類の種類に対応するものであり、さらに仕上げ等についても、選択できるようにすることは周知である。（必要あれば、特開２００１−７９８号公報や特開平９−１５５０９９号公報等参照。）
　したがって、上記洗濯機におけるものを衣類乾燥機においてなすことは当業者が何ら格別の発明力を要することなくなし得たことと言える。
　そうすると、「処理対象物」、「処理仕上がりに関する項目」、「処理手順や条件を決定する上での要件となる要件情報」及び「処理を行う際の手順や条件に関する情報を含んだ実行情報」についても、それぞれ「乾燥対象物」、「乾燥仕上がりに関する項目」「乾燥処理手順や条件を決定する上での要件となる乾燥要件情報」及び「乾燥処理を行う際の手順や条件に関する情報を含んだ乾燥実行情報」とすることも格別の困難性を要することなくなし得たことである。
　したがって、相違点Ａに係る本願発明の発明特定事項とすることは、引用発明から当業者が容易になし得たことといえる。
　
（２）相違点Ｂについて
ア．引用発明は、「最適化モジュールが処理（洗濯）要素を検索し、絹の衣類品目とデニムのブルージーンズの組み合わせや染み及び汚れの関する等の何らかの処理の矛盾があるかどうかを判断し、矛盾する品目を除去するか、警報を無効にするように要求し、或いは例えば赤い靴下を取り除くことによって、より高い水温及び漂白剤を洗濯方法に含むことができる等の可能な処理の追加及び削除の提案を行」い、その後に洗濯機の設定をし、衣類品目を洗濯するものである。このことは、処理上の矛盾がある時にどのように処理するか、また、より良く処理できるための提案を行い、これに対して選択・変更して、洗濯の実行を行うものといえる。
　さらに、引用発明の「衣類乾燥機２０２」も「ユーザーに起こり得る乾燥の矛盾を警告する工程をも含む」ものである。
　また、引用発明は「皺が少ない、ぱりっとしている、極上の白色、及びマウンテン・フレッシュ（又は他の香料）などの望ましい状態調節の結果」についても「ユーザーが洗濯機によって設定でき」るものであって、複数選択し得るようなすことも、当業者が通常なすことといえる。
　そして、一般に家電製品等において、処理について使用者が希望する条件項目に順位付けを付した優先度情報を入力し、それを反映した処理を行わせることは、例えば、特開２００２−９２３０７号公報（段落【００８８】等参照：調理メニューの抽出にあたって、希望する複数の項目に優先順位を付して入力する点）、特開２００２−９５０７２号公報（段落【００４６】等参照：ホームオートメーションシステムで、制御目的テーブルの各制御目的に優先レベルを付して設定する点。段落【０１１１】〜【０１１３】には、対象機器として乾燥機について例示）、特開平１１−３１６０８３号公報（段落【００３２】〜【００３３】等参照：多機能乾燥装置について、運転の優先度を設定して、その設定に基づいて運転する点）、特開平９−５３８５１号公報（段落【０００７】等参照：換気装置について、ガス衣類乾燥機と部屋の換気との間に優先順位を設定）、特開平８−２１０６６１号公報（段落【０００４】〜【０００５】等参照：浴室給湯システムにおいて、浴槽、浴室換気乾燥機、床暖房装置の間にあらかじめ優先順位を付けておき、優先順位に基づいて給湯器の出湯温度を制御）等に示されるように周知の事項である。そうすると、引用発明において望ましい状態調節の結果を設定するに際し、上記周知の事項に倣って、複数の望ましい状態調節の結果を順位付けして優先度情報として入力し、処理を行うことは、衣類品目においても処理上の矛盾やより良い処理に対してユーザーの選択を行わせていることからも、望ましい状態調節の結果を選択するときにも矛盾やより良い処理があり得ることは当業者が直ちに想到することといえるから、当業者が容易になし得たことといえ、そして、そのことによる格別の効果も認められない。
イ．また、引用発明は最適化モジュール３１がインターネットにより通信する外部サーバーに備えられるものであるから、インターネットにより通信し、かつ返信するにあたり、その機器を特定する識別情報を含めて送信することは、当業者が通常なすことといえ、さらに、引用例２にも示されるように、機器に対応した処理を行うためにその機器の仕様情報を行うことも、引用発明が洗濯機の最適化された動作条件の決定を使用とすることからみて、当業者が通常なす程度のことである。
ウ．したがって、相違点Ｂに係る本願発明の発明特定事項とすることは、引用発明、引用例２に記載の事項及び上記周知の事項に基づいて、当業者が容易に想到し得たことである。
　
（３）まとめ
　以上のようであるから、本願発明は、引用発明、引用例２に記載の事項及び上記周知の事項に基づいて、当業者が容易に発明をすることができたものといえる。
　そして、相違点Ａ及びＢを合わせみても、本願発明の効果が格別であるとはいえない。
　
４．むすび
　以上のように、本願発明は、引用発明、引用例２に記載の事項及び周知の事項に基づいて当業者が容易に発明をすることができたものであるから、特許法第２９条第２項の規定により特許を受けることができない。そうすると、本願の他の請求項に係る発明について検討するまでもなく、本願は拒絶すべきものである。
　よって、結論のとおり審決する。